(57)【要約】【課題】プラズマディスプレイ装置およびその駆動方法を提供する。【解決手段】プラズマディスプレイ装置はプラズマディスプレイパネルおよび走査電極ドライバーを含む。プラズマディスプレイパネルは、前面基板と背面基板との間に形成される複数の放電セルと、放電セルに対応して、第１方向に沿って伸張するアドレス電極と、第１方向と交差する第２方向に沿って伸張し、放電セルに対応して、第１方向に沿って交互に配列される維持電極と走査電極と、を含む。ここで、アドレス電極のそれぞれには少なくとも２種の互いに異なる色相の放電セルが対応して、走査電極ドライバーは第１方向に沿って同じ色相の放電セルに対応する走査電極に時間的に隣接するようにスキャンパルスを印加する。これにより、アドレス消費電力をさらに減らすことができる。【選択図】図４
2007035627.tif 000002
【特許請求の範囲】
【請求項１】
前面基板と背面基板との間に形成された複数の放電セルに対応して、第１方向に沿って伸張するアドレス電極と、前記第１方向と交差する第２方向に沿って伸張し、前記放電セルに共に対応しながら前記第１方向に沿って交互に配列される維持電極と走査電極と、を含むプラズマディスプレイパネルと、
前記走査電極に連結される走査電極ドライバーと、を含み、
前記アドレス電極のそれぞれには、少なくとも２種の互いに異なる色相の放電セルが対応し、
前記第１方向に沿って配列された１列の放電セルのうちの同じ色相の放電セルに対応する第１走査電極は、前記走査電極ドライバーに連続して配置されて連結された、プラズマディスプレイ装置。
【請求項２】
一個の画素を構成する３個の放電セルの各中心は三角形の各頂点に配置され、
前記３個の放電セルのうちの２個は同じアドレス電極に対応し、
前記１個の画素に３/２本の走査電極が対応する、請求項１に記載のプラズマディスプレイ装置。
【請求項３】
前記第１走査電極は、前記第１方向に沿って配列された走査電極のうちの３本おきに配列される、請求項１に記載のプラズマディスプレイ装置。
【請求項４】
前記走査電極ドライバーは、前記第１走査電極に時間的に隣接するようにスキャンパルスを印加する、請求項１に記載のプラズマディスプレイ装置。
【請求項５】
前記走査電極ドライバーは、
前記１列の放電セルのうちの第１色相の放電セルに対応する走査電極にスキャンパルスを順次に印加した後、第２色相の放電セルに対応する走査電極にスキャンパルスを順次に印加する、請求項４に記載のプラズマディスプレイ装置。
【請求項６】
ｋ×ｋに配列された画素配列において前記アドレス電極と前記走査電極は、
アドレス電極数：走査電極数＝４：３の比を有するように配列された、請求項１に記載のプラズマディスプレイ装置。
ここで、前記ｋは横方向または縦方向に連続して配列される画素数を示す自然数である。
【請求項７】
前記放電セルのそれぞれは六角形の平面形状を有する、請求項１に記載のプラズマディスプレイ装置。
【請求項８】
前記放電セルのそれぞれは長方形の平面形状を有する、請求項１に記載のプラズマディスプレイ装置。
【請求項９】
前記第１方向に隣接する一対の前記放電セルの境界の延長線は、前記第２方向に隣接する前記放電セルの中心を通過するように配列された、請求項１に記載のプラズマディスプレイ装置。
【請求項１０】
前面基板と背面基板との間に形成された複数の放電セルに対応して、第１方向に沿って伸張するアドレス電極と、前記第１方向と交差する第２方向に沿って伸張し、前記放電セルに共に対応しながら前記第１方向に沿って交互に配列される維持電極と走査電極と、を含むプラズマディスプレイ装置を駆動する方法であって、
前記アドレス電極のそれぞれには少なくとも２種の互いに異なる色相の放電セルが対応し、
アドレス期間の第１期間の間、前記アドレス電極のうち第１アドレス電極を基準に形成される第１色相の放電セルに対応する走査電極にスキャンパルスを印加する段階と、
前記アドレス期間の第２期間の間、前記第１アドレス電極を基準に形成される第２色相の放電セルに対応する走査電極にスキャンパルスを印加する段階と、を含む、プラズマディスプレイ装置の駆動方法。
【請求項１１】
前記スキャンパルスは、同じ色相に対応する走査電極の間に順次に印加される、請求項１０に記載のプラズマディスプレイ装置の駆動方法。
【請求項１２】
一個の画素を構成する３個の放電セルの各中心は三角形の各頂点に配置され、
前記３個の放電セルのうちの２個は同じアドレス電極に対応し、
前記一個の画素に３/２本の走査電極が対応する、請求項１０に記載のプラズマディスプレイ装置の駆動方法。
【請求項１３】
前記アドレス期間の第３期間の間、前記第１アドレス電極を基準に第３色相の放電セルに対応する走査電極にスキャンパルスを印加する段階をさらに含む、請求項１０に記載のプラズマディスプレイ装置の駆動方法。
【請求項１４】
前記スキャンパルスは、同じ色相に対応する走査電極の間に順次に印加される、請求項１３に記載のプラズマディスプレイ装置の駆動方法。
【請求項１５】
一個の画素を構成する３個の放電セルの各中心は三角形の各頂点に配置され、
前記３個の放電セルのうちの２個は同じアドレス電極に対応し、
前記一個の画素に３/２本の走査電極が対応する、請求項１３に記載のプラズマディスプレイ装置の駆動方法。
【請求項１６】
前記第１方向に沿って配列された走査電極には３本おきにスキャンパルスが印加される、請求項１０に記載のプラズマディスプレイ装置の駆動方法。
【発明の詳細な説明】
【技術分野】
【０００１】
本発明は、プラズマディスプレイ装置およびその駆動方法に係り、より詳しくは、画素の高集積化が可能なように画素配列と電極配列を改善したプラズマディスプレイ装置およびその駆動方法に関するものである。
【背景技術】
【０００２】
一般に、プラズマディスプレイ装置は、気体放電により得られたプラズマから放射される真空紫外線が蛍光体を励起させることによって発生する各基本色である赤色（Ｒ）、緑色（Ｇ）、青色（Ｂ）の可視光を利用して、映像を実現するプラズマディスプレイパネルを備える。
【０００３】
このプラズマディスプレイパネルは、６０インチ以上の超大型画面をわずか１０ｃｍ以内の厚さで実現でき、ＣＲＴのような自発光ディスプレイ素子であるので色再現力および視野角による歪曲現象がない特性を有する。また、このプラズマディスプレイパネルはＬＣＤなどに比べて製造工法が単純で、生産性および原価の面からも利点を有し、ＴＶ用および産業用平板ディスプレイとして脚光を浴びている。
【０００４】
プラズマディスプレイパネルには、３電極面放電型プラズマディスプレイパネルがある。この３電極面放電型プラズマディスプレイパネルは同一基板面上に位置した維持電極と走査電極を備える基板と、これから一定の距離をおいて離隔されて垂直方向につながるアドレス電極を備える他の基板とが対向する密閉空間を形成し、その間に放電ガスを封入している。このプラズマディスプレイパネルでの表示用放電可否は、各駆動信号源に連結して独立的に制御される走査電極とアドレス電極の間の放電有無によって決定され、画面を表示する維持放電は同一基板面上に位置した維持電極と走査電極によって行われる。
【０００５】
図５は、従来のプラズマディスプレイパネルの画素および電極配列を示した平面図である。
【０００６】
このジグザグと直線を組み合わせたデルタ形隔壁構造を有するプラズマディスプレイパネルにおいて、放電セルは隔壁によって独立的な空間に区切られて、１個の画素７１はこのような放電セルのうちの３個を用い、これら放電セルは互いに隣接して三角配置される赤色、緑色、青色の放電セル（７１Ｒ、７１Ｇ、７１Ｂ）、つまり、３個の副画素から構成される。
【０００７】
この時、アドレス電極７５は１個の画素７１を構成する副画素である各基本色の放電セル（７１Ｒ、７１Ｇ、７１Ｂ）のそれぞれを通過するように伸張形成される。この場合、図示のように、４×４＝１６個の画素７１を考慮する時、各画素７１当り３本ずつ、全部で１２本のアドレス電極７５（Ａｍ、Ａｍ＋１、．．．、Ａｍ＋１１）が必要となる。
【０００８】
しかしながら、プラズマディスプレイパネルが次第に高解像度の傾向に発展するに伴って放電セル（７１Ｒ、７１Ｇ、７１Ｂ）を高密度集積させる場合、各放電セル（７１Ｒ、７１Ｇ、７１Ｂ）を通過するアドレス電極７５の配置間隔がますます短くなる。これにより、隣接するアドレス電極７５間のキャパシタンス（Ｃ）値が増加して、必然的に無効エネルギー（＝ＣＶ２ｆ）の消耗が増加する結果になる。
【発明の開示】
【発明が解決しようとする課題】
【０００９】
本発明の目的は、画素の配列を改善して、各画素当りに対応するアドレス電極数を減少させることによって、高解像度パネル製作に伴うアドレス消費電力の増加を抑制し、全体的に回路価格を低減できるプラズマディスプレイ装置を提供することにある。
【００１０】
また、本発明の他の目的はアドレス電極数を減少させる画素配列で単色の垂直線を表示する場合、アドレス消費電力をさらに減少させるプラズマディスプレイ装置およびその駆動方法を提供することにある。
【課題を解決するための手段】
【００１１】
上記課題を解決するための本発明の一実施形態によるプラズマディスプレイ装置は、前面基板と背面基板との間に形成された複数の放電セルに対応して、第１方向に沿って伸張するアドレス電極と、前記第１方向と交差する第２方向に沿って伸張し、前記放電セルに共に対応しながら前記第１方向に沿って交互に配列される維持電極と走査電極と、を含むプラズマディスプレイパネルと、前記走査電極に連結される走査電極ドライバーと、を含み、前記アドレス電極のそれぞれには少なくとも２個の互いに異なる色相の放電セルが対応して、前記第１方向に沿って配列された１列の放電セルのうちの同じ色相の放電セルに対応する第１走査電極は、前記走査電極ドライバーに連続して配置されながら連結できる。
【００１２】
ここで、一個の画素を構成する３個の放電セルの各中心は三角形の各頂点に配置され、前記３個の放電セルのうちの２個は、特定された１個のアドレス電極から同時に影響を受け（以下、“同じアドレス電極に対応し”と言う。）、前記一個の画素に３／/２本の走査電極が対応できる。
【００１３】
前記第１走査電極は前記第１方向に沿って配列された走査電極のうちの３本おきに配列できる。
【００１４】
前記走査電極ドライバーは前記第１走査電極に時間的に隣接するようにスキャンパルスを印加できる。
【００１５】
前記走査電極ドライバーは、前記１列の放電セルのうちの第１色相の放電セルに対応する走査電極にスキャンパルスを順次に印加した後、第２色相の放電セルに対応する走査電極にスキャンパルスを順次に印加できる。
【００１６】
また、ｋ×ｋ（ｋ行、ｋ列）に配列された画素配列においてアドレス電極と走査電極はアドレス電極数：走査電極数＝４：３の比を有するように配列できる。
【００１７】
前記放電セルのそれぞれは六角形または長方形の平面形状を有するように形成できる。
【００１８】
前記第１方向に隣接する一対の前記放電セルの境界の延長線は前記第２方向に隣接する前記放電セルの中心を過ぎるように配列できる。
【００１９】
また、本発明の一実施形態によるプラズマディスプレイ装置の駆動方法によれば、アドレス期間の第１期間の間、前記アドレス前極のうち第１アドレス電極を基準に形成される第１色相の放電セルに対応する走査電極にスキャンパルスを印加する段階と、前記アドレス期間の第２期間の間、前記第１アドレス電極を基準に形成される第２色相の放電セルに対応する走査電極にスキャンパルスを印加する段階と、を含むことができる。
【００２０】
そして、前記アドレス期間の第３期間の間、前記第１アドレス電極を基準に第３色相の放電セルに対応する走査電極にスキャンパルスを印加する段階をさらに含むことができる。
【００２１】
前記スキャンパルスは同じ色相に対応する走査電極の間に順次に印加できる。
【発明の効果】
【００２２】
本発明によるプラズマディスプレイ装置によれば、一個の画素に２本のアドレス電極が対応する。このように各画素当り対応するアドレス電極数が減少することによって、高解像度パネルに伴うアドレス消費電力の増加を抑制できる効果がある。
【００２３】
また、本発明によるプラズマディスプレイ装置によれば、アドレス電極に連結されるアドレス素子数を減少させることによって、パネルを全体的に駆動させる回路の価格を低めることができる効果がある。
【００２４】
また、本発明によるプラズマディスプレイ装置によれば、一本のアドレス電極を基準にする時、同じ色相の副画素に対応する走査電極同士別途の走査電極ドライバーに連続的に連結される。これによって、単色の垂直線を表示することにおいてもアドレス電極のスイッチング回数の増加が抑制され、アドレス消費電力の増加が抑制される効果がある。
【発明を実施するための最良の形態】
【００２５】
以下、添付した図面を参照して、本発明の好ましい実施形態について当業者が容易に実施することができるように詳細に説明する。しかしながら、本発明は多様に異なる形態で実現できるので、ここで説明する実施形態に限定されるものではない。そして図面で本発明を明確に説明するために説明と関係ない部分は省略し、明細書全体を通じて同一または類似した構成要素に関しては同じ参照符号で示すものとする。
【００２６】
明細書全体で、ある部分が他の部分と“連結”されているという時、これは“直接的に連結”されている場合だけでなく、その中間に他の素子をおいて“電気的に連結”されている場合も含む。また、ある部分がある構成要素を“含む”とする時、これは特に反対になる記載がない限り他の構成要素を除くものではなく、他の構成要素をさらに含むことができることを意味する。
【００２７】
図１は、本発明の第１実施例によるプラズマディスプレイ装置の概略的なセル−電極配列図であり、図２は本発明の第１実施例によるプラズマディスプレイパネルのセル−電極配列の一部を分解して示す斜視図である。
【００２８】
図１に示すように、第１実施例によるプラズマディスプレイ装置はプラズマディスプレイパネル１００、このプラズマディスプレイパネル１００の左側にあって各Ｙ電極に連結される走査電極ドライバー２００（２１０〜２３０）、右側にあって各Ｘ電極に連結される維持電極ドライバー３００（３１０〜３３０）、および上側にあって各Ａ電極に連結されるアドレス電極ドライバー４００を備える。また、図示のセル配列に注目すると、縦方向に、Ｂ（青）、Ｒ（赤）、Ｇ（緑）の順に並ぶ列が８列、各列のセル数が７個、つまり７行編成であって、全体で５６個のセルを表示している。ただし、この図では、カラー画素の構成が不完全であり、完全にするには、１行（８個）を削るか、反対に２行のセル（小計１６個）を追加して、行数を３の倍数にする必要がある。
【００２９】
このプラズマディスプレイパネル１００は第１色相、第２色相、および第３色相の可視光を発生させる３個の副画素（放電セル）が三角形状に配列されながら一組のカラー画素を形成する所謂デルタ形プラズマディスプレイパネルとして用いると副画素間の相関性が最大になり、まとまりが良い。本実施形態で第１色相、第２色相、および第３色相は、例えば赤色、緑色、および青色からなることができる。
【００３０】
これをより具体的に調べれば、図２に示すように、このプラズマディスプレイパネル１００は、中間に任意の間隔をおいて実質的に平行に対向配置されながら、放電ガスが封入される背面基板１０と前面基板３０を備える。
【００３１】
この背面基板１０と前面基板３０の間には所定の高さと、任意のパターンとを有しながら画素１２０を区画形成する隔壁２３が配置される。ここで一組のカラー画素１２０は、前述のように三角形状に配置される３個の副画素（１２０Ｒ、１２０Ｇ、１２０Ｂ）からなる。
【００３２】
この時、副画素（１２０Ｒ、１２０Ｇ、１２０Ｂ）はそれぞれ放電セル１８を有しているが、この放電セル１８は隔壁２３によって区画形成される。
【００３３】
第１実施例でそれぞれの副画素（１２０Ｒ、１２０Ｇ、１２０Ｂ）の平面形状はほぼ六角形状に構成されるので、この副画素（１２０Ｒ、１２０Ｇ、１２０Ｂ）を区画形成する隔壁２３も、また、六角形に構成されるように形成される。したがって、各副画素（１２０Ｒ、１２０Ｇ、１２０Ｂ）が有する放電セル１８は上部が開口された六角箱形状に構成される。
【００３４】
この放電セル１８内にはプラズマ放電に必要なキセノン（Ｘｅ）、ネオン（Ｎｅ）等を含む放電ガスが充填されている。前記の赤色（Ｒ）、緑色（Ｇ）、青色（Ｂ）の可視光をそれぞれ発生させる副画素（１２０Ｒ、１２０Ｇ、１２０Ｂ）にはそれぞれに対応する赤色、緑色、青色の蛍光体層２５が形成される。この蛍光体層２５は各放電セル１８の底面と隔壁２３の内側面に形成される。
【００３５】
アドレス電極１５が、背面基板１０上で、第１方向（図面のｙ軸方向）に沿ってそれぞれ伸びて形成され、第２方向（本例では、図面のｘ軸方向）に隣り合って並んで配置される。
【００３６】
このアドレス電極１５は各放電セル１８の下方（つまり、背面基板と隔壁層の間）を通過するように配置される。
【００３７】
更に、誘電層１２がアドレス電極１５を覆いながら、背面基板１０の対向面全面に形成される。したがって、アドレス電極１５は隔壁２３が形成される層の下部に配置される。
【００３８】
また、維持電極３２と走査電極３４は前面基板３０の対向面上で、第２方向（本例では、図面のｘ軸方向）に沿って伸びて形成される。この維持電極３２と走査電極３４は各放電セル１８の領域内で互いに対応して放電ギャップを形成する。また、この維持電極３２と走査電極３４は、第１方向（本例では、図面のｙ軸方向）に隣り合って一本ずつ交互に配置される。
【００３９】
この維持電極３２と走査電極３４のそれぞれは、バス電極（３２ａ、３４ａ）と透明電極（３２ｂ、３４ｂ）を含んで構成される。前記バス電極（３２ａ、３４ａ）は前面基板３０に第２方向（本例では、図面のｘ軸方向）に沿って伸びて形成される。透明電極（３２ｂ、３４ｂ）はこのバス電極（３２ａ、３４ａ）より広い幅を有し、第２方向（図面のｘ軸方向）に沿ってバス電極（３２ａ、３４ａ）を覆う構造に形成される。
【００４０】
このバス電極（３２ａ、３４ａ）は優れた導電性を有する金属材料からなることが好ましい。このバス電極（３２ａ、３４ａ）はプラズマディスプレイパネル駆動時、放電セル１８で生成される可視光の遮蔽を最少化するために導電性を確保できる範囲内で可能な限りその線幅を細くして形成されることが望ましい。
【００４１】
この透明電極（３２ｂ、３４ｂ）はＩＴＯ（酸化インジウム錫）のような透明な材質で出来ていて、各バス電極（３２ａ、３４ａ）と共に第２方向（図面のｘ軸方向）に伸びて形成される。したがって、一個の放電セル１８領域内には、その間に任意の間隔をおいて一対の透明電極（３２ｂ、３４ｂ）が平行配置（本例では対向配置）される。
【００４２】
また、前面基板３０上には維持電極３２と走査電極３４を覆いながら、前面基板３０の全面に誘電層（図示せず）が形成され、その上にＭｇＯからなる保護膜（図示せず）がさらに形成できる。
【００４３】
図１を参照すれば、第１実施例で各画素１２０には２本のアドレス電極１５、１５が対応する。この各画素１２０は３個の副画素（１２０Ｒ、１２０Ｇ、１２０Ｂ）から構成され、これら３個の副画素（１２０Ｒ、１２０Ｇ、１２０Ｂ）は赤色、緑色、青色の可視光をそれぞれ発生させる。
【００４４】
この画素１２０を構成する副画素（１２０Ｒ、１２０Ｇ、１２０Ｂ）の各中心は三角形の各頂点に配置される。画素１２を構成する３個の放電セル１８、つまり、副画素（１２０Ｒ、１２０Ｇ、１２０Ｂ）のうちの２個の放電セル１８は第１方向（図面のｙ軸方向）に隣接して並んで配置される。この配置は、第１方向（図面のｙ軸方向）の放電空間を増大させて、放電に適した空間を形成するのでマージンを向上させる効果がある。
【００４５】
また、一個の画素１２０を構成する副画素（１２０Ｒ、１２０Ｇ、１２０Ｂ）のうちの少なくとも２個は同じアドレス電極１５に対応する。そして、この一個の画素１２０には２本の走査電極３４が配置される。つまり、一個の画素１２０を構成する３個の副画素（１２０Ｒ、１２０Ｇ、１２０Ｂ）の放電は２本のアドレス電極１５と２本の走査電極３４によって決定できる。
【００４６】
より具体的に説明すれば、一個の画素１２０に対応する２本のアドレス電極１５のうちの一本のアドレス電極（Ａｍ＋８）は第１方向（図面のｙ軸方向）に隣接する２個の放電セル１８、つまり、２個の副画素（１２０Ｇ、１２０Ｂ）を通過するように配置され、他の一本のアドレス電極（Ａｍ＋７）は残り１個の放電セル１８、つまり、残り１個の副画素（１２０Ｒ）を通過するように配置される。同じ一本のアドレス電極（Ａｍ＋８）に対応する２個の副画素（１２０Ｇ、１２０Ｂ）は互いに異なる色相の可視光を発生させる蛍光体層２５を有する。
【００４７】
また、一個の画素１２０を通過する２本の走査電極３４のうちの一本の走査電極（Ｙｎ＋３）は第２方向（図面のｘ軸方向）に隣接する２個の放電セル１８、つまり、２個の副画素（１２０Ｒ、１２０Ｂ）を通過するように配置され、他の一本の走査電極（Ｙｎ＋２）は残り１個の放電セル１８、つまり、残り１個の副画素（１２０Ｇ）を通過するように配置される。一本の走査電極（Ｙｎ＋３）が配置される２個の副画素（１２０Ｒ、１２０Ｂ）は互いに異なる色相の可視光を発生させる蛍光体層２５を有する。
【００４８】
この走査電極３４および維持電極３２は、各放電セル１８に一緒に対応するので、一個の画素１２０には２本の維持電極（Ｘｎ＋４、Ｘｎ＋３）がまた配置される。この維持電極（Ｘｎ＋４、Ｘｎ＋３）と走査電極（Ｙｎ＋３、Ｙｎ＋２）は一個の画素１２０にそれぞれ対向配置される。
【００４９】
この画素１２０に対応する維持電極３２と走査電極３４の配列は、反復的に配置される画素１２０の選択により、前記のように設定されてもよく、また異なって設定されてもよい。
【００５０】
第１実施例で各副画素（１２０Ｒ、１２０Ｇ、１２０Ｂ）を構成する各放電セル１８は六角形の平面形状を有するように形成される。したがって、この放電セル１８は６方向に辺による境界を形成する。したがって、アドレス電極１５と平行な方向（図面のｙ軸方向）に沿って隣接する一対の放電セル１８境界の延長線はアドレス電極１５と交差する方向（図面のｘ軸方向）に沿って隣接する放電セル１８の中心をすぎる。
【００５１】
本実施形態では、一個の画素１２０を形成する３個の副画素（１２０Ｒ、１２０Ｇ、１２０Ｂ）の各中心が三角形の各頂点に配置されるにもかかわらず、維持電極３２と走査電極３４は直線形状に形成されている。
【００５２】
したがって、維持電極３２と走査電極３４は平面上で第２方向（図面のｘ軸方向）に副画素（１２０Ｒ、１２０Ｇ、１２０Ｂ）のうちの少なくとも一個の副画素を通過するように配置される。本実施形態で維持電極３２と走査電極３４のそれぞれは３個の副画素（１２０Ｒ、１２０Ｇ、１２０Ｂ）のうち２個の副画素を通過するように配置できる。
【００５３】
つまり、走査電極（Ｙｎ＋３）は一個の画素１２０内で第２方向（図面のｘ軸方向）に隣接配置された２個の副画素（１２０Ｒ、１２０Ｂ）を通過しながら共通の電圧を印加するようになり、他の走査電極（Ｙｎ＋２）は前記画素１２０内で１個の副画素（１２０Ｇ）のみを通過しながら電圧を印加するようになる。
【００５４】
維持電極３２は、この走査電極３４に対向して配置されるので、維持電極（Ｘｎ＋４）は走査電極（Ｙｎ＋３）に対向しながら一個の画素１２０で１個の副画素（１２０Ｂ）を通過しながら電圧を印加するようになる。他の維持電極（Ｘｎ＋３）は、一個の画素１２０で残り２個の副画素（１２０Ｒ、１２０Ｇ）に対応して共通の電圧を印加するようになる。また、この維持電極（Ｘｎ＋３）は第１方向（図面のｙ軸方向）に沿って走査電極（Ｙｎ＋２）と違った走査電極（Ｙｎ＋３）間に配列される。
【００５５】
したがって、走査電極３４と維持電極３２はアドレス電極１５と並んだ方向（図面のｙ軸方向）に沿って交互に配列されて、各放電セル１８の駆動を制御する。
【００５６】
図２に示すように、第２方向（図面のｘ軸方向）に４列の画素１２０が配置され、第１方向（図面のｙ軸方向）に沿って４行の画素１２０が配置される時（維持電極Ｘｎ＋７および走査電極Ｙｎ＋７は除外される）、４×４＝１６個の画素１２０を通過する走査電極３４は６本であり、アドレス電極１５は８本である。つまり、各画素１２０当り、２（８／４＝２）本のアドレス電極１５が対応して、３／２（６／４＝３／２）本の走査電極３４が対応する。また、各画素１２０当り、３／２本の維持電極３２が対応する。
【００５７】
つまり、画素個数を基準として一辺ｋ個で正方形配列された画素配列ｋ×ｋで各画素１２０別に２本のアドレス電極１５と３／２本の走査電極３４が対応する場合、アドレス電極１５と走査電極３４は次の数式１の比を満足する（ここで、ｋは第１方向または第２方向に連続的に配列された画素配列数を示す自然数である。）。
【００５８】
アドレス電極数：走査電極数＝４：３（数式１）
【００５９】
これをより具体的に調べれば、４×４に配列された画素配列では計１６個の画素１２０が配置される。この場合、アドレス電極１５は各画素１２０の列当り、２本ずつ対応するので、計１６個の画素１２０に計８本のアドレス電極１５（Ａｍ＋１、．．．、Ａｍ＋８）が対応し、走査電極３４は各画素１２０の行当り、３２本ずつ対応するので、計１６個の画素１２０に計６本の走査電極３４（Ｙｎ＋１、．．．、Ｙｎ＋６）が対応する。維持電極３２は、各画素１２０別に走査電極３４と同一に対応して、計１６個の画素１２０に６本の維持電極（Ｘｎ＋１、．．．、Ｘｎ＋６）が対応する。
【００６０】
この画素配列において、同じアドレス電極１５に対応する隣接した２個の副画素（１２０Ｇ、１２０Ｂ）は互いに異なる色相の蛍光体層を有する。また、このように対応しながら、一本のアドレス電極１５には互いに異なる色相の蛍光体層を有する副画素（１２０Ｒ、１２０Ｇ、１２０Ｂ）が全て対応できる。
【００６１】
これを図５に示した従来のプラズマディスプレイパネルと比較する時、４×４の画素、つまり、計１６個の画素を考慮する場合に、従来は計１２本のアドレス電極が必要なことに比べて、本実施形態では計８本のアドレス電極１５だけが必要となる。従って、本実施形態は同じ画素数を維持しながらも、アドレス電極１５の本数を減少させる。
【００６２】
一方、従来は計４本の走査電極が必要なことに比べて、第１実施例では計６本の走査電極３４が必要となる。したがって同じ画素数を維持しながらも、本実施形態は走査電極３４の本数を増加させる。
【００６３】
つまり、第１実施例によるプラズマディスプレイパネル１００のアドレス電極１５の本数は従来のアドレス電極の本数に比べて、１／３減少して、アドレス電極１５の端子部の設計が容易である。
【００６４】
これによって、アドレス電極１５の消費電力が従来の消費電力に比べて、１／３減少する。また、アドレス電極１５を制御するアドレス回路素子（例えば、半導体集積回路“Ｔａｐｅ  Ｃａｒｒｉｅｒ  Ｐａｃｋａｇｅ；ＴＣＰ”を挙げることができる。）当り、ピークパワー（ｐｅａｋ  ｐｏｗｅｒ）が従来のそれに比べて、１／３減少する。走査回路素子は、アドレス回路素子に比べて低価格であるので、走査回路素子の増加にもかかわらず、アドレス回路素子の減少によってパネルを駆動させる全体的な回路の価格は低減される。
【００６５】
一方、本実施形態では一本のアドレス電極１５を基準に他の色相の副画素が交互に位置するようになる。したがって、単色の垂直線（ｙ軸方向）の表示時、走査電極３４を順序通り、つまり、Ｙｎ＋１、Ｙｎ＋２、Ｙｎ＋３、Ｙｎ＋４等の順序にスキャンを行う場合アドレス電極１５のスイッチング回数が増加できる。このようなスイッチング回数の増加はアドレス消費電力の上昇を誘発するので、スイッチング回数の増加を抑制するスキャン方法が要求される。このスキャン方法については以下の図４の説明の部分で詳しく説明する。
【００６６】
一方、走査電極３４は走査電極ドライバー２００に連結し、維持電極３２は維持電極ドライバー３００に連結され、アドレス電極１５はアドレス電極ドライバー４００に連結される。
【００６７】
この走査電極ドライバー２００の制御信号に応じて走査電極３４にスキャンパルスが印加され、アドレス電極ドライバー４００の制御信号に応じてアドレス電極１５にアドレスパルスが印加される。このスキャンパルスおよびアドレスパルスによって点灯される放電セル１８が選択される。
【００６８】
次に、走査電極ドライバー２００の制御信号に応じて走査電極３４に維持パルスが印加され、維持電極ドライバー３００の制御信号に応じて維持電極３２に維持パルスが印加される。この維持パルスによって、前記選択された放電セル１８で放電が起こるようになり、これによって画像が具現される。
【００６９】
また、第１方向（図面のｙ軸方向）に沿って同じ色相の放電セル１８に配置される走査電極３４は、走査電極ドライバー２００に連続的に連結される。
【００７０】
つまり、走査電極ドライバー２００は三種の色相にそれぞれ対応する赤色走査電極ドライバー２１０、緑色走査電極ドライバー２２０、および青色走査電極ドライバー２３０を含む。そして、走査電極３４は第１方向（図面のｙ軸方向）に沿って３本おきに走査電極ドライバー２００に連結される。つまり、一本のアドレス電極１５を基準にする時、各色相の放電セル１２０に配置される走査電極３４同士は別途の走査電極ドライバー２１０、２２０、２３０に連結される。
【００７１】
具体的に、赤色走査電極ドライバー２１０には赤色の放電セル（１２０Ｒ）に対応する走査電極（Ｙｎ＋１、Ｙｎ＋４、Ｙｎ＋７、．．．）が連続的に連結される。
【００７２】
緑色走査電極ドライバー２２０には、緑色の放電セル（１２０Ｇ）に対応する走査電極（Ｙｎ＋２、Ｙｎ＋５、．．．）が連続的に連結される。
【００７３】
青色走査電極ドライバー２３０には、青色の放電セル（１２０Ｂ）に対応する走査電極（Ｙｎ＋３、Ｙｎ＋６、．．．）が連続的に連結される。
【００７４】
したがって、走査電極ドライバー２００が順次にスキャンパルスを発生させる時、各アドレス電極１５を基準に一個の色相の放電セル１８が順次に選択された後、次の色相の放電セル１８が選択される。これによって、単色の垂直線を表示する時、アドレス電極ドライバー４００に具備されたアドレス素子のスイッチング回数の増加が防止できる。
【００７５】
また、アドレススイッチング回数の増加が防止されることによって、アドレス消費電力の増加が防止できる。
【００７６】
維持電極３２の場合、走査電極３４と同様に各色相の放電セル１２０に配置される維持電極３２同士は別途の維持電極ドライバー３１０、３２０、３３０に連結できる。
【００７７】
つまり、赤色維持電極ドライバー３１０には赤色の放電セル（１２０Ｒ）に対応する維持電極３２（Ｘｎ＋１、Ｘｎ＋４、Ｘｎ＋７、．．．）が連続的に連結される。
【００７８】
緑色走査電極ドライバー３２０には、緑色の放電セル（１２０Ｇ）に対応する維持電極３２（Ｘｎ＋２、Ｘｎ＋５、．．．）が連続的に連結できる。
【００７９】
青色維持電極ドライバー３３０には、青色の放電セル（１２０Ｂ）に対応する維持電極（Ｘｎ＋３、Ｘｎ＋６、．．．）が順次に連結できる。
【００８０】
本実施形態では、各色相の放電セル１２０に対応する維持電極３４同士別途の維持電極ドライバーに連結されるが、維持電極３４は一個の維持電極ドライバー（図示せず）に連結されることもでき、これもまた本発明の範囲に属する。
【００８１】
図３は、本発明の第２実施例によるプラズマディスプレイ装置の概略的な構成図である。
【００８２】
第２実施例は、第１実施例と比較して、構成および作用効果において大部分が類似し、プラズマディスプレイパネル５００で一個の画素２２０を形成する副画素（２２０Ｒ、２２０Ｇ、２２０Ｂ）の平面形状に差がある。
【００８３】
つまり、第２実施例で各副画素（２２０Ｒ、２２０Ｇ、２２０Ｂ）を構成する放電セル２８は長方形の平面形状を有するように形成される。これは、放電セル２８の平面形状を多様に実現できるということを例示的に示す。
【００８４】
図４は、本発明の実施形態によるプラズマディスプレイ装置におけるスキャン方法を示す波形図である。図４では便宜上アドレス期間で走査電極３４のうちの一部に印加される波形だけを示した。
【００８５】
前述したように、本発明の実施形態によるプラズマディスプレイ装置は一本のアドレス電極１５を基準に見れば他の色相の副画素が交互に配列される。したがって、単色の垂直線（ｙ軸方向）の表示時、走査電極３４の配列順序通り、つまり、Ｙｎ＋１、Ｙｎ＋２、Ｙｎ＋３、Ｙｎ＋４、．．．の順序通りスキャンが行われる場合、アドレス電極１５のスイッチング回数が増加する。
【００８６】
したがって、図４に示すように、本実施形態によれば、先ず、一本のアドレス電極に沿って配列された放電セルのうちの、一個の色相の放電セルに対応する走査電極に全てスキャンパルスが印加される。その後、次の色相の放電セルに対応する走査電極にスキャンパルスが印加される。言い換えれば、同じ色相の放電セルに対応する走査電極に時間的に隣接するようにスキャンパルスが印加される。
【００８７】
まず、アドレス期間の第１期間（Ｔ１）では走査電極（Ｙｎ＋１、Ｙｎ＋４、Ｙｎ＋７、．．．）に順次にＶｓｃＬ電圧を有するスキャンパルスが印加される。つまり、一本のアドレス電極（Ａｍ＋２）を基準にする時、赤色の放電セル（１２０Ｒまたは２２０Ｒ）に対応する走査電極（Ｙｎ＋１、Ｙｎ＋４、Ｙｎ＋７、．．．）に順次にスキャンパルスが印加される。
【００８８】
次に、アドレス期間の第２期間（Ｔ２）では走査電極（Ｙｎ＋２、Ｙｎ＋５、Ｙｎ＋８、．．．）に順次にＶｓｃＬ電圧を有するスキャンパルスが印加される。つまり、一本のアドレス電極（Ａｍ＋２）を基準にする時、緑色の放電セル（１２０Ｇまたは２２０Ｇ）に対応する走査電極（Ｙｎ＋２、Ｙｎ＋５、Ｙｎ＋８、．．．）に順次にスキャンパルスが印加される。
【００８９】
最後にアドレス期間の第３期間（Ｔ３）では走査電極（Ｙｎ＋３、Ｙｎ＋６、Ｙｎ＋９、．．．）に順次にＶｓｃＬ電圧を有するスキャンパルスが印加される。つまり、一本のアドレス電極（Ａｍ＋２）を基準にする時、青色の放電セル（１２０Ｂまたは２２０Ｂ）に対応する走査電極（Ｙｎ＋３、Ｙｎ＋６、Ｙｎ＋９、．．．）に順次にスキャンパルスが印加される。
【００９０】
ここで、各走査電極にスキャンパルスが印加されない時、各走査電極はＶｓｃＬ電圧より高いＶｓｃＨ電圧で維持される。
【００９１】
このように一本のアドレス電極を基準にする時、同じ色相の放電セルに対応する走査電極に対して連続して、スキャンパルスを印加すれば単色の垂直線の表示時、アドレス素子のスイッチング回数が減少するようになる。また、スイッチング回数が減少することによってアドレス消費電力の増加が抑制できる。
【００９２】
一方、図４ではスキャンパルスとして例示的に負の方向に下降するパルスとして示したが、アドレス期間で発光セルと非発光セルを選択するために他の波形が走査電極に印加されることは当然である。
【００９３】
以上、本発明の好ましい実施形態について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００９４】
【図１】本発明の第１実施例によるプラズマディスプレイ装置の概略的なセル−電極配列図である。
【図２】本発明の第１実施例によるプラズマディスプレイパネルのセル−電極配列の一部を分解して示す斜視図である。
【図３】本発明の第２実施例によるプラズマディスプレイ装置の概略的なセル−電極配列図である。
【図４】本発明の実施形態によるプラズマディスプレイ装置におけるスキャン波形を示す図面である。
【図５】従来のプラズマディスプレイパネルのセル−電極配列を部分的に示す平面図である。
【符号の説明】
【００９５】
１５  アドレス電極
３４、Ｙｎ＋１、Ｙｎ＋２、Ｙｎ＋３、Ｙｎ＋４、Ｙｎ＋５、Ｙｎ＋６、Ｙｎ＋７、Ｙｎ＋８、Ｙｎ＋９  走査電極
Ａｍ＋２  アドレス電極
１２０Ｒ、２２０Ｒ  赤色の放電セル
１２０Ｇ、２２０Ｇ  緑色の放電セル
１２０Ｂ、２２０Ｂ  青色の放電セル
Ｔ１、Ｔ２  アドレス期間の第１及び第２期間
【図１】
2007035627.tif 000003
【図２】
2007035627.tif 000004
【図３】
2007035627.tif 000005
【図４】
2007035627.tif 000006
【図５】
2007035627.tif 000007